(57)【特許請求の範囲】
【請求項１】
特に自動車の内燃機関に用いられる液体フィルタ、特に潤滑オイルを清浄化するためのオイルフィルタであって、組込み状態でほぼ縦置き式に配置されるフィルタハウジング（２）が設けられていて、該フィルタハウジング（２）の上側の区分が、リングフィルタインサート（５）を収納するためのフィルタ収容室（４）を内蔵しており、フィルタハウジング（２）の下側の区分が、清浄化されていない液体のための流入通路（６，１４）と、清浄化された液体のための流出通路（１９）とを内蔵しており、流入通路（６，１４）が、当該液体フィルタ（１）の供給管路（８）をフィルタ収容室（４）内のリングフィルタインサート（５）の粗側に接続しており、流出通路（１９）が、フィルタ収容室（４）内のリングフィルタインサート（５）の清浄側を当該液体フィルタ（１）の導出管路（９）に接続しており、さらに機能支持体インサート（７）が設けられていて、該機能支持体インサート（７）が、フィルタハウジング（２）の下側の区分に形成された支持体収容室（６）内に配置されていて、前記流出通路（１９）を有している形式のものにおいて、前記機能支持体インサート（７）に組み込まれた機能エレメントが少なくとも流出通路（１９）であり、フィルタハウジング（２）とは別個に製造された前記機能支持体インサート（７）が、前記支持体収容室（６）内へ挿入可能に形成されていて、以下に挙げる特徴のうちの少なくとも１つ：
−機能支持体インサート（７）が、フィルタ収容室（４）からの液体の排出を可能にするドレーン通路（２１）を有している、
−機能支持体インサート（７）が、流入通路（６，１４）に対応した逆止弁（１５）を有しており、該逆止弁（１５）が、フィルタ収容室（４）内のリングフィルタインサート（５）の粗側から当該液体フィルタ（１）の供給管路（８）へ向かう液体戻り流を阻止している
を有していることを特徴とする液体フィルタ。
【請求項２】
前記流出通路（１９）が、リングフィルタインサート（５）の中心の内室に連通しており、前記支持体収容室（６）が流入通路を形成しており、清浄化されていない液体が、機能支持体インサート（７）とリングフィルタインサート（５）との周囲を取り囲むように流れるようになっている、請求項１記載の液体フィルタ。
【請求項３】
機能支持体インサート（７）が流入通路または該流入通路の一部を成す流入通路区分（１４）を有している、請求項１記載の液体フィルタ。
【請求項４】
機能支持体インサート（７）が圧力制御弁（３０）を有しており、該圧力制御弁（３０）が、圧力に関連して流出通路（１９，２９）を前記ドレーン通路（２１，２８）に接続し、これにより、清浄側で臨界的な圧力増大が発生した場合に戻り管路（１０）への放圧を可能にするようになっている、請求項１から３までのいずれか１項記載の液体フィルタ。
【請求項５】
前記圧力制御弁（３０）が、Ｈ字形の構成部分（２７）に形成されており、該Ｈ字形の構成部分（２７）が、機能支持体インサート（７）の下側で流出通路（１９）とドレーン通路（２１）との接続部（１２，１３）に被せ嵌め可能である、請求項４記載の液体フィルタ。
【請求項６】
機能支持体インサート（７）がバイパス弁（２０）を有しており、該バイパス弁（２０）が圧力に関連して流入通路（６，１４）を流出通路（１９）に接続するようになっていて、流入通路（６，１４）内の清浄化されていない液体の圧力が所定の閾値を上回ると該バイパス弁（２０）が開いて、流入通路（６，１４）を流出通路（１９）に接続するので、清浄化されていない液体は臨界的な圧力増大時にリングフィルタインサート（５）を迂回して清浄側へ流れて、導出管路（９）内へ流出するようになっている、請求項１から５までのいずれか１項記載の液体フィルタ。
【請求項７】
リングフィルタインサート（５）に、偏心的に軸方向で下方へ向かって突出したピン（２３）が取り付けられており、リングフィルタインサート（５）がフィルタ収容室（４）内に挿入された状態で、該ピン（２３）が、ドレーン通路（２１）に設けられた開口（２２）内に侵入して、ドレーン通路（２１）を閉鎖しており、機能支持体インサート（７）がランプウェイ（２５）を有しており、該ランプウェイ（２５）の下端部が、ドレーン通路（２１）の開口（２２）のところで該開口（２２）の軸方向高さから出発していて、ランプウェイ長さが増大するにつれて前記ランプウェイ（２５）がフィルタ収容室（４）の内部へ向かって突入しながら上昇しており、前記ランプウェイ（２５）と前記ピン（２３）とが、その位置決めに関して互いに調和されていて、フィルタハウジング（２）内へのリングフィルタインサート（５）の挿入時に、前記ピン（２３）がまだドレーン通路（２１）の開口（２２）内へ侵入していない場合には、前記ピン（２３）が前記ランプウェイ（２５）に載置されており、リングフィルタインサート（５）が回転させられると、前記ピン（２３）が前記ランプウェイ（２５）に沿って下方へ向かってスライドして、前記ランプウェイ（２５）の下端部でドレーン通路（２１）の開口（２２）内へ侵入するようになっている、請求項１から６までのいずれか１項記載の液体フィルタ。
【請求項８】
機能支持体インサート（７）がプラスチックから製造されている、請求項１から７までのいずれか１項記載の液体フィルタ。
【請求項９】
機能支持体インサート（７）の各通路（１４，２１，１９）と、フィルタハウジング（２）の底部に形成された対応する管路（８，９，１０）との間の結合部が、それぞれ差込み結合部として形成されている、請求項１から８までのいずれか１項記載の液体フィルタ。
【発明の詳細な説明】
【０００１】
本発明は、請求項１の上位概念部に記載の形式の、特に自動車の内燃機関に用いられる液体フィルタ、特に潤滑オイルを清浄化するためのオイルフィルタに関する。
【０００２】
ドイツ連邦共和国特許第３９０３６７５号明細書に基づき、このような形式のオイルフィルタが公知である。この公知のオイルフィルタは、組込み状態でほぼ縦置き式に配置されるフィルタハウジングを有している。このフィルタハウジングの上側の区分は、リングフィルタインサートを収納するためのフィルタ収容室を内蔵している。フィルタハウジングの下側の区分は、清浄化されていないオイルのための流入通路と、清浄化されたオイルのための流出通路とを内蔵している。流入通路は、オイルフィルタの、オイルポンプの吐出側に接続された供給管路を、フィルタ収容室内のリングフィルタインサートの粗側に接続している。流出通路はフィルタ収容室内のリングフィルタインサートの清浄側を、オイルフィルタの、内燃機関の潤滑個所に連通した導出管路に接続している。
【０００３】
公知の液体フィルタでは、フィルタハウジングと、フィルタハウジングに組み込まれた複数の通路とが、射出成形構成部分として一体に製造される。次いで、このフィルタハウジングは、たとえばシールのための平滑な面を形成するために内部で後加工されなければならない。また、リングフィルタインサートの中央の内室を相応する通路、この場合には清浄側の流出通路に密に結合するために、導入したいリングフィルタインサートのための慎重な表面加工も必要となる。
【０００４】
本発明の課題は、冒頭で述べた形式の液体フィルタを改良して、加工の点で単純化された液体フィルタを提供することである。
【０００５】
この課題は、本発明によれば、請求項１の特徴部に記載の特徴を有する液体フィルタにより解決される。
【０００６】
本発明は、慣用のフィルタハウジングの場合にフィルタハウジングと一体に製造されていて、かつその機能を満たすために後加工されなければならなかったフィルタハウジング構成部分を、別個に製造可能な１つの機能支持体インサートにまとめてしまう、という一般的思想に基づいている。こうして、一方ではこれらの機能エレメントを外部で後加工することが可能となり、他方では後加工自体が不要となり得るように機能支持体インサートを製造することもできる。たとえば、機能支持体インサートはプラスチックから、特に射出成形法によって製造されている。このときに形成される表面品質は十分に高値であるので、後加工はたいてい不要となり得る。
【０００７】
機能支持体インサートに組み込まれた機能エレメントは少なくとも流出通路である。この流出通路はフィルタ収容室内のリングフィルタインサートの清浄側を液体フィルタの導出管路に接続している。また、次に挙げる機能エレメントも機能支持体インサートに組み込まれていてよい：液体フィルタの供給管路をフィルタ収容室内のリングフィルタインサートの粗側に接続する流入通路および／またはフィルタ収容室からの液体の排出を可能にするドレーン通路および／または流入通路に対応配置された逆止弁および／または流出通路をドレーン通路に圧力に関連して接続する圧力制御弁および／または流入通路を流出通路に圧力に関連して接続するバイパス弁。機能支持体インサートに組み込まれるフィルタハウジングの機能エレメントの数が大きくなればなるほど、本発明の利点はますます大きな作用を発揮するので、フィルタハウジングのための後加工手間はますます必要でなくなる。
【０００８】
本発明の有利な構成では、機能支持体インサートが挿入されている、フィルタハウジングの下側の区分に形成された支持体収容室が、流入通路を形成している。これにより、清浄化されていない液体は機能支持体インサートとリングフィルタインサートとの周囲を外部から取り囲むように流れる。このような構造により、機能支持体インサートのために設けられた支持体収容室を機能エレメントとして利用することができるので、支持体収容室はこの場合、二重機能を実施する。
【０００９】
本発明による装置の別の重要な特徴および利点は、請求項２以下、図面および図面につき説明する実施例から明らかである。
【００１０】
もちろん、前で挙げた特徴およびあとでさらに説明する特徴は、それぞれ記載の組み合わせでのみ使用可能となるのではなく、本発明の枠から逸脱することなしに別の組み合わせの形でも、あるいはそれぞれ単独の形でも使用可能である。
【００１１】
以下に、本発明の有利な実施例を図面につき詳しく説明する。
【００１２】
図１に示したように、本発明による液体フィルタ１はフィルタハウジング２を有している。このフィルタハウジング２は一体に、特に一体のアルミニウムダイカスト構成部分として製造されていると有利である。しかし、図１では、図面を見易くするために、円筒状のチューブ部分２ａと、このチューブ部分２ａの下側に続いているベース部分２ｂとが互いに別個に描かれている。これら２つのハウジング部分が一体であることは、図１で２ａと２ｂとを中括弧で括ることにより表されている。チューブ部分２ａは、やはり図面を見易くするという理由から透明に描かれている。フィルタハウジング２の上側は、螺合可能なカバー３によって閉鎖可能である。
【００１３】
チューブ部分２ａの上側の区分には、フィルタ収容室４が形成されている。このフィルタ収容室４内には、液体フィルタ１が組み立てられた状態で、リングフィルタインサート５が挿入されている。このリングフィルタインサート５はこの実施例では、清浄化したい液体によってリングフィルタインサート５が半径方向で外側から内側へ向かって貫流されるように形成されている。リングフィルタインサート５はカバー３の内部に軸方向で位置固定されていて、かつ回転可能に支承されているので、このリングフィルタインサート５は図１に示したように、カバー３の装着と同時にフィルタハウジング２内へ導入される。
【００１４】
チューブ部分２ａの下側の区分には、支持体収容室６が形成されている。この支持体収容室６内には、液体フィルタ１が組み立てられた状態で、機能支持体インサート７が収納されている。ベース部分２ｂには、上方へ向かって開いた複数の管路、つまりたとえばオイルポンプの吐出側に連通した供給管路８と、内燃機関の相応する潤滑個所に連通した導出管路９と、たとえば比較的無圧のリザーバ、たとえばオイルパンに連通した戻り管路１０とが設けられている。上方へ向かって開いたこれらの管路８，９，１０は、機能支持体インサート７に形成されたそれぞれ対応する管片１１，１２，１３のための収容部を形成している。半径方向に作用するシール手段、たとえばＯリング１６により、それぞれ対応する管路８，９，１０における各管片１１，１２，１３の有効なシールが保証されている。
【００１５】
機能支持体インサート７は流入通路区分１４を有している。この流入通路区分１４は逆止弁１５を有していて、管片１１によって供給管路８の開口へ差込み可能である。こうして、清浄化されていないオイル（粗オイル）は逆止弁１５を通じて支持体収容室６とフィルタ収容室４とに流入し、ひいては機能支持体インサート７とリングフィルタインサート５との周囲を取り囲むように流れる。したがって、この構成では、支持体収容室６が、清浄化されていない液体のための流入通路を形成しており、この流入通路は液体フィルタ１の供給管路８を、フィルタ収容室４内のリングフィルタインサート５の粗側に接続する。
【００１６】
機能支持体インサート７の上端部は中央管片１７を有している。この中央管片１７にリングフィルタインサート５が被せ嵌められる。これにより、リングフィルタインサート５の清浄側を形成するリングフィルタインサート内室との連通接続が形成される。この目的のためには、リングフィルタインサート５が、中心の開口を備えた下側の端部ディスク１８を有していると有利である。この端部ディスク１８は相応するシール手段を備えている。
【００１７】
機能支持体インサート７はさらに流出通路１９を有している。この流出通路１９は一方の端部では中央管片１７を備えており、他方の端部では管片１２を備えているので、流出通路２９の管片１２が導出管路９の開口に差し込まれると、この流出通路１９は中央管片１７を介してリングフィルタインサート５の清浄側を液体フィルタ１の導出管路９に接続する。流出通路１９はその両端部の間にバイパス弁２０を有している。このバイパス弁２０は、流入通路もしくは支持体収容室６内の粗オイル圧が所定の閾値を上回ると開いて、支持体収容室６を流出通路１９に接続するので、粗オイルは臨界的な圧力増大時にはリングフィルタインサート５を迂回して清浄側へ、つまり清浄化されたオイル（清浄オイル）の側へ流れて、導出管路９内へ流出することができる。
【００１８】
機能支持体インサート７はさらにドレーン通路２１を有している。このドレーン通路２１は下端部には管片１３を、上端部には開口２２をそれぞれ有している。この開口２２には、リングフィルタインサート５がフィルタハウジング２内に挿入された状態でピン２３が密に侵入する。このピン２３は相応するシール手段、たとえばＯリング２４を備えている。ピン２３はこの場合、端部ディスク１８に形成されていて、この端部ディスク１８から軸方向でかつ偏心的に下方へ向かって突出している。リングフィルタインサート５はカバー３と連結されており、この場合、フィルタハウジング２からカバー３が取り除かれると同時に、リングフィルタインサート５もフィルタハウジング２から引き出されるようになっている。このときに、ピン２３はドレーン通路２１の開口２２を開放するので、戻り管路１０を介してフィルタ収容室４を空にすることができる。したがって、開口２２の軸方向高さは、フィルタ収容室４を仕切る下側の境界を形成している。フィルタハウジング２内へのリングフィルタインサート５の挿入を簡単にするためには、機能支持体インサート７にランプウェイ２５が形成されている。このランプウェイ２５の下端部はドレーン通路２１の開口２２のところで、この開口２２の軸方向高さから出発している。次いで、ランプウェイ２５はそのランプウェイ長さに沿って軸方向でフィルタ収容室４に突入するように上昇し、そしてやはり開口２２のところで、ただしこの場合には、出発点よりも高い軸方向高さで終わっている。したがって、ランプウェイ２５は、ほぼ完全な唯一つの巻き条を有する螺旋形状を有している。
【００１９】
機能支持体インサート７の個々の機能エレメントの間、つまりたとえば流入通路区分１４と流出通路１９と中央管片１７とランプウェイ２５とドレーン通路２１との間には、それぞれウェブ２６が形成されており、これらのウェブ２６により、機能支持体インサート７の各機能エレメントは互いに結合されている。機能支持体インサート７は有利な構成では十分にプラスチックから、特に射出成形法により製造されている。
【００２０】
図２に示したように、択一的な別の構成では、ほぼＨ字形の構成部分２７が付加的な機能エレメントとして形成されていてよい。この構成部分２７は流出通路１９もしくはドレーン通路２１の管片１２，１３に被せ嵌めによって接続可能である。こうして、ドレーン通路２１がドレーン通路区分２８により延長されると同時に、流出通路１９も流出通路区分２９により延長され、この場合、ドレーン通路区分２８および流出通路区分２９はそれぞれ相応する管片１２′；１３′を有している。Ｈ字形の構成部分２７はさらに圧力制御弁３０を有している。この圧力制御弁３０は圧力に関連して、ドレーン通路区分２８と流出通路区分２９との間の接続を形成し、これにより、清浄側で臨界的な圧力増大が発生した場合には戻り管路１０への放圧が可能となる。もちろん、このＨ字形の構成部分２７が使用される場合には、流入通路区分１４の接続部も、相応する延長部分によって供給管路８に接続されるか、もしくは流出通路１９もしくはドレーン通路２１が相応して短縮される。
【００２１】
流入通路区分１４とドレーン通路２１と流出通路１９との管片１１，１２，１３は、それぞれ軸方向で、供給管路８、戻り管路１０もしくは導出管路９の対応する開口内へ差込み可能であるので、機能支持体インサート７は軸方向でフィルタハウジング２内へ差込み可能となる。同様に、リングフィルタインサート５も軸方向で機能支持体インサート７に被せ嵌め可能となり、この場合、一方では中央管片１７が端部ディスク１８の中心の開口へ侵入し、他方ではピン２３がドレーン通路２１の開口２０へ密に嵌入する。
【図面の簡単な説明】
【図１】  本発明による液体フィルタの個々の構成部分の配置を分解して示す斜視図である。
【図２】  付加的な構成部分の側面図である。
【図１】
0004555530.tif 000002
【図２】
0004555530.tif 000003